(57)【要約】  車両毎に搭載した運行管理システムが記憶している当日ダイヤに従い自動制御論理を動作させ、列車の制御を行うとともに、車両毎に当日ダイヤを記憶し、自動制御を行う列車自律制御方式を基本とし、列車遅延、車両故障発生時に、自動で最適な当日ダイヤに更新し、車両同士が当日ダイヤの変更情報を共有することにより、有事の場合でも車両が自律して自動制御を継続することができ、車両毎に搭載した列車運行管理システムが記憶している運転整理条件が成立したタイミングでも、他車両に当日ダイヤの変更を通知し、変更後の当日ダイヤに従い自動制御を継続する。
2019053930.tif 000002
【特許請求の範囲】
【請求項１】
列車の運行計画であるダイヤを格納し送信するダイヤ管理装置と、前記ダイヤ管理装置から前記ダイヤを受信し前記列車を制御する列車制御装置とを備えた列車制御システムにおいて、
前記列車制御装置を制御対象の前記列車に備えることを特徴とする列車制御システム。
【請求項２】
請求項１に記載の列車制御システムであって、
前記ダイヤ管理装置は、前記列車の前記ダイヤを記憶する制御対象列車ダイヤ記憶部と、前記列車制御装置と通信を行う地上通信部とを備え、
前記列車制御装置は、前記ダイヤ管理装置と通信を行う車上通信部と、前記ダイヤを記憶する車上ダイヤ記憶部と、前記車上ダイヤ記憶部から前記ダイヤを取得し制御対象の前記列車である自列車の前記ダイヤに従って前記自列車を制御する車上制御部とを備え、
前記車上制御部は、既定の事象が発生したときに前記自列車の前記ダイヤを修正し、修正後の前記ダイヤである修正ダイヤを前記車上通信部により前記地上通信部へ送信させ、
前記地上通信部は、前記車上通信部から前記修正ダイヤを受信したとき前記修正ダイヤを前記制御対象列車ダイヤ記憶部に送信し、前記修正ダイヤを制御の対象となっている全ての前記列車の前記車上通信部へ送信し、
前記制御対象列車ダイヤ記憶部は、前記修正ダイヤを受信したとき前記修正ダイヤを記憶し、
前記車上通信部は、前記地上通信部から前記修正ダイヤを受信したとき、前記修正ダイヤを前記車上ダイヤ記憶部に送信し、
前記車上ダイヤ記憶部は、前記修正ダイヤを受信したとき、前記修正ダイヤを記憶し、前記修正ダイヤを前記車上制御部に送信し、
前記車上制御部は、前記修正ダイヤを受信したとき、前記修正ダイヤに従って前記自列車を制御することを特徴とする列車制御システム。
【請求項３】
請求項２に記載の列車制御システムであって、
前記車上制御部は、前記自列車の在線する可能性のある範囲である在線範囲を認識し、前記自列車の前記在線範囲を前記車上通信部により前記地上通信部へ送信させ、
前記地上通信部は、前記車上通信部から前記在線範囲を受信したとき前記在線範囲を前記制御対象列車ダイヤ記憶部に送信し、前記制御対象列車ダイヤ記憶部から制御の対象となっている全ての前記列車の前記在線範囲である全列車在線範囲を受信し、前記全列車在線範囲を制御の対象となっている全ての前記列車の前記車上通信部へ送信させ、
前記制御対象列車ダイヤ記憶部は、前記在線範囲を受信して記憶し、前記全列車在線範囲を生成し、前記地上通信部の要求に応じて前記全列車在線範囲を制御の対象となっている全ての前記列車の前記地上通信部へ送信し、
前記車上通信部は、前記全列車在線範囲を受信し前記車上ダイヤ記憶部に送信し、
前記車上ダイヤ記憶部は、前記全列車在線範囲を受信し格納し、
前記車上制御部は、前記車上ダイヤ記憶部から前記全列車在線範囲を受信し、前記自列車の前記在線範囲が他の前記列車の前記在線範囲と重複しない、又は、規定値より接近しない範囲で前記列車の走行を許可することを特徴とする列車制御システム。
【発明の詳細な説明】
【技術分野】
【０００１】
本発明は、当日の運行計画通りに列車の自動制御を行う列車制御システムに関する。
【背景技術】
【０００２】
自動的に異常が発生した走行中の車両編成の代替車両編成を車両基地から探索しその代替車両編成を出庫させうる列車運行管理装置が特許文献１に記載されている。【０００３】
この特許文献１には、「走行中の車両編成の搭載機器に発生する異常又はその異常の兆候を異常検知情報として入力し、異常検知情報から走行中の車両編成の車両変更が必要であるどうかを判断する車両変更判断手段と、車両変更が必要な場合、走行中の車両編成を車両基地に入庫させると共に、その走行中の車両編成の代替車両編成を車両基地から出庫させるダイヤを作成する運用変更処理手段とを備えたものである。」と記載されている。
【先行技術文献】
【特許文献】
【０００４】
【特許文献１】特開平９−６６８３３号公報
【発明の概要】
【発明が解決しようとする課題】
【０００５】
特許文献１に記載の列車運行管理装置は、車上装置の他に、列車の運行を管理する列車運行管理装置を地上側に設置する必要があり、その導入コスト、維持管理コストが高くなるという課題があった。本発明の目的は、地上側にコストのかかる列車運行管理装置を設けずに、車上装置により列車運行管理システムを構築することにある。
【課題を解決するための手段】
【０００６】
上記課題を解決するために、代表的な本発明の列車制御システムは、列車の運行計画であるダイヤを格納し送信するダイヤ管理装置と、ダイヤ管理装置からダイヤを受信し列車を制御する列車制御装置とを備えた列車制御システムにおいて、列車制御装置を制御対象の列車に備えることを特徴とする。
【発明の効果】
【０００７】
本発明によれば、地上側に列車運行管理装置を設けずに、列車運行管理システムを構築することができる。
【図面の簡単な説明】
【０００８】
【図１】地上装置としての列車運行管理システムのシステム構成図である。
【図２】本実施例における既定の事象が発生したときの車上制御部１１４の動作例を示すフローチャートである。
【図３】本実施例におけるダイヤを受信したときの車上制御部１１４の動作例を示すフローチャートである。
【図４】本実施例における列車走行許可を更新する車上制御部１１４の動作例を示すフローチャートである。
【図５】本実施例における車上通信部１１２の動作例を示すフローチャートである。
【図６】本実施例における地上通信部１０２の動作例を示すフローチャートである。
【図７】本実施例におけるダイヤの修正の例を示す図である。
【図８】本実施例におけるダイヤの修正の例を示す図である。
【図９】Ａ駅とＢ駅の線路および転てつ器の構成の例を示す図である。
【図１０】Ａ駅にて列車がすれ違うダイヤの例である。
【発明を実施するための形態】
【０００９】
以下、図面を参照して実施例について説明する。
【実施例１】
【００１０】
図１は、本実施例における列車制御システムの構成例を示す図である。【００１１】
本実施例における列車制御システムは、ダイヤ管理装置１００と列車１１０に搭載される列車制御装置１１１から構成される。列車１１０は線路１２０上を走行する。線路１２０上には分岐があり、分岐を制御する装置として転てつ器１２１がある。なお、図では列車１１０は１編成のみを示しているが、これに限らず、多数の編成を有しても良い。同様に、図では線路１２０上に分岐及び転てつ器１２１をそれぞれ１つのみを示しているが、これに限らず、多数の進路を構成するために多数の分岐及び転てつ器１２１を備えても良い。【００１２】
ダイヤ管理装置１００は、列車の運行計画であるダイヤを管理する。ダイヤ管理装置１００は、制御対象列車ダイヤ記憶部１０１と地上通信部１０２から構成される。【００１３】
制御対象列車ダイヤ記憶部１０１は、制御対象の列車のダイヤを記憶し、地上通信部１０２からの要求に従ってダイヤを送信する。また、制御対象列車ダイヤ記憶部１０１は、更新されたダイヤを地上通信部１０２から受信し、記憶しているダイヤを更新して記憶する。【００１４】
さらに、制御対象列車ダイヤ記憶部１０１は、列車の在線する可能性のある範囲である在線範囲を記憶し制御の対象となっている全ての列車の在線範囲である全列車在線範囲を作成し、地上通信部１０２からの要求に従って全列車在線範囲を送信する。【００１５】
地上通信部１０２は、列車制御装置１１１と通信し、列車制御装置１１１から更新されたダイヤを受信し、制御対象列車ダイヤ記憶部１０１へ送信する。また、ダイヤを制御対象となっている全ての列車１１０の列車制御装置１１１へ送信する。【００１６】
なお、地上通信部１０２は、無線を用いて列車制御装置１１１と通信を行うが、線路を経由して通信を行う等、有線で列車制御装置１１１と通信を行っても良い。【００１７】
さらに、地上通信部１０２は、列車制御装置１１１と通信し、列車制御装置１１１から在線範囲を受信し、制御対象列車ダイヤ記憶部１０１へ送信する。また、制御対象列車ダイヤ記憶部１０１へ全列車在線範囲の送信を要求し、受信する。その後、受信した全列車在線範囲を制御対象の全ての列車１１０の列車制御装置１１１へ送信する。【００１８】
列車制御装置１１１は、車上通信部１１２と車上ダイヤ記憶部１１３と車上制御部１１４から構成される。【００１９】
車上通信部１１２は、車上制御部１１４からの要求に従って、車上制御部１１４からダイヤを受信し、ダイヤ管理装置１００へ送信する。また、車上通信部１１２は、ダイヤ管理装置１００からダイヤを受信し、車上ダイヤ記憶部１１３へ送信し、車上制御部１１４へ送信させる。【００２０】
さらに、車上通信部１１２は、車上制御部１１４からの要求に従って、自列車の在線範囲をダイヤ管理装置１００へ送信する。また、車上通信部１１２は、ダイヤ管理装置１００から全列車在線範囲を受信し、車上ダイヤ記憶部１１３へ送信し、車上制御部１１４へ送信させる。【００２１】
加えて、車上通信部１１２は、車上制御部１１４からの指示に従い、転てつ器１２１と通信し、分岐の制御の指示を行う。【００２２】
車上ダイヤ記憶部１１３は、車上通信部１１２からダイヤを受信して記憶し、車上制御部１１４へ送信する。【００２３】
さらに、車上ダイヤ記憶部１１３は、車上通信部１１２から全列車在線範囲を受信して記憶し、車上制御部１１４へ送信する。【００２４】
車上制御部１１４は、車上ダイヤ記憶部１１３からダイヤを受信し、それに従って自列車１１０を制御する。その際、必要な進路を構成するため、車上通信部１１２に転てつ器１２１の制御の指示を行わせる。また、車上制御部１１４は、既定の事象が発生したときに自列車１１０のダイヤを修正し、修正したダイヤを車上通信部１１２によりダイヤ管理装置１００へ送信する。【００２５】
さらに、車上制御部１１４は、自列車１１０の在線範囲を認識し、自列車１１０の在線範囲を車上通信部１１２によりダイヤ管理装置１００へ送信させる。また、車上制御部１１４は、車上ダイヤ記憶部１１２から全列車在線範囲を受信し、自列車１１０の在線範囲が他の列車１１０の在線範囲と重複しない範囲で自列車１１０の走行を許可する。
転てつ器１２１は、線路１２０の進路上の分岐を制御する装置であり、車上通信部１１２からの指示を受け、分岐を制御する。【００２６】
次に、本実施例における列車制御装置１１１の動作を説明する。【００２７】
図２は、本実施例における既定の事象が発生したときの車上制御部１１４の動作例を示すフローチャートである。【００２８】
車上制御部１１４は、本システムの起動時に本処理（Ｓ２００）を開始する。【００２９】
Ｓ２００にて、車上制御部１１４は、本処理を開始し、Ｓ２０１へ遷移する。【００３０】
Ｓ２０１にて、車上制御部１１４は、既定の事象が発生したか確認する。車上制御部１１４は、既定の事象が発生していないとき（Ｓ２０１のＮｏ）、Ｓ２０１へ遷移する。車上制御部１１４は、既定の事象が発生しているとき（Ｓ２０１のＹｅｓ）、Ｓ２０２へ遷移する。【００３１】
なお、既定の事象とは、列車制御装置１１１の制御対象の列車１１０の運行に支障のある事象をいう。たとえば、列車１１０の故障、乗客のトラブル等があげられるが、これらに限定するものではない。【００３２】
Ｓ２０２にて、車上制御部１１４は、ダイヤを修正する。その後、車上制御部１１４は、Ｓ２０３へ遷移する。【００３３】
ダイヤの修正は次のように行う。図７はダイヤの修正の例を示す図である。Ａ駅からＢ駅へ向けて走行中の列車１１０に既定の事象が発生した場合、列車１１０の車上制御部１１４は、安全のため速度を落として次駅であるＢ駅まで運行を行い、Ｂ駅にて運行を取りやめ入区するダイヤを生成する。これを修正したダイヤとする。【００３４】
また、ダイヤの修正は次のように行っても良い。図８はダイヤの修正の例を示す図である。Ａ駅からＢ駅へ向けて走行中の列車１１０に既定の事象が発生した場合、列車１１０の車上制御部１１４は、安全のため速度を落として次駅であるＢ駅まで運行を行い、Ｂ駅にて運行を取りやめ入区するダイヤを生成する。この後、Ｂ駅にて車両交換可能な車両が存在する場合、車上制御部１１４は、車両交換ダイヤ(車交ダイヤ)を生成し、これを修正したダイヤとする。【００３５】
なお、Ｂ駅にて車両交換可能な車両が存在するかどうかは、後述する全列車在線範囲にて認識することができる。すなわち、図５のＳ５０７にて全列車在線範囲を受信しており、全列車在線範囲は他の車両の在線範囲も含んでいるので、Ｂ駅に在線している車両の存在を確認することができる。ダイヤ管理装置１００が全列車在線範囲を生成するとき、各列車の状態（乗客を乗せて運行している状態、乗客を降ろして回送列車になっている状態、滞泊している状態、電留線に停車している状態、車庫に入っている状態等）も各列車から受信してそれぞれの列車在線範囲に関連付けることにより、運行に影響の出ない列車（たとえば、乗客を乗せて運行している状態以外の状態かつ運行可能な状態の列車）を認識することができ、そのような列車がＢ駅に在線しているときに、図８のようなダイヤを生成することにより適切な車両交換を行うことができる。【００３６】
Ｓ２０３にて、車上制御部１１４は、修正したダイヤを車上通信部１１２によりダイヤ管理装置１００へ送信する。その後、車上制御部１１４は、Ｓ２０１へ遷移する。【００３７】
図３は、本実施例におけるダイヤを受信したときの車上制御部１１４の動作例を示すフローチャートである。【００３８】
車上制御部１１４は、本システムの起動時に本処理（Ｓ３００）を開始する。【００３９】
Ｓ３００にて、車上制御部１１４は、本処理を開始し、Ｓ３０１へ遷移する。【００４０】
Ｓ３０１にて、車上制御部１１４は、車上ダイヤ記憶部１１３からダイヤを受信したか確認する。車上制御部１１４は、ダイヤを受信したとき（Ｓ３０１のＹｅｓ）、Ｓ３０２へ遷移する。ダイヤを受信していないとき（Ｓ３０１のＮｏ）、車上制御部１１４は、Ｓ３０３へ遷移する。【００４１】
Ｓ３０２にて、車上制御部１１４は、新たに受信したダイヤで自列車１１０の制御を行う。その後、車上制御部１１４は、Ｓ３０１へ遷移する。【００４２】
Ｓ３０３にて、車上制御部１１４は、以前に受信したダイヤで自列車１１０の制御を行う。車上制御部１１４は、以前に受信したダイヤが無い場合は制御を行わない。その後、車上制御部１１４は、Ｓ３０１へ遷移する。【００４３】
自列車１１０の制御は次のように行う。自列車１１０の車上制御部１１４は、ダイヤより走行すべき進路を構成する。たとえば、図７の元のダイヤに従って運行する場合、列車１１０がＡ駅を出発しＢ駅へ到着するときは、その列車１１０の車上制御部１１４は、Ａ駅を出発する前にＡ駅からＢ駅までの進路を構成する必要がある。【００４４】
図９は、Ａ駅とＢ駅の線路および転てつ器の構成の例を示す図である。起点側にＡ駅があり、終点側にＢ駅がある。起点側からＡ駅、Ａ駅からＢ駅、Ｂ駅から終点側の路線は単線である。Ａ駅、Ｂ駅は上下線の列車の擦れ違いが可能なように、２線になっている。起点側から終点側への方向を下り線、終点側から起点側への方向を上り線とする。各駅のホームは上の線路が下りホーム、下の線路が上りホームとする。起点側からＡ駅に進入する際の転てつ器は転てつ器９００、Ａ駅から出発して終点方向に向かう際の転てつ器は転てつ器９０１、起点方向からＢ駅に進入する際の転てつ器は転てつ器９０２、Ｂ駅から酒店方向に向かう際の転てつ器は転てつ器９０３である。【００４５】
転てつ器９００〜転てつ器９０３はそれぞれ駅に進入する方向に転換している状態を定位とし、その反対方向に転換している状態を反位とする。【００４６】
この時、車上制御部１１４はＡ駅を出発する時刻をダイヤより抽出し、その時刻の一定時間前に進路を構成する。この進路を構成するため、車上制御部１１４は、転てつ器９０１を反位、転てつ器９０２を定位にする指示をそれぞれの転てつ器に送信し、転換完了を確認したときに進路構成完了とする。【００４７】
車上制御部１１４は、進路構成完了後、Ａ駅を出発する時刻になったときに制御対象の自列車１１０をＡ駅から出発させ、Ｂ駅に到着させる。Ｂ駅からＣ駅に向かう際も同様である。終点方向から起点方向に向かう列車についても同様に制御する。【００４８】
なお、他の列車により進路を構築できない場合は、進路構築できるようになるまで待つことになる。図１０は、Ａ駅にて先行列車１０００と後発列車１００１がすれ違うダイヤの例である。先行列車１０００がＡ駅への進入を完了させるまで、Ｂ駅からＡ駅に向かう進路が先行列車１０００により構成され、後発列車１００１はＡ駅からＢ駅に向かう進路を構成できない。先行列車１０００がＡ駅への進入を完了させた後、その進路が解放されるので、後発列車１００１はＡ駅からＢ駅に向かう進路を構成できる。【００４９】
このように、他の列車が進路を構築している場合はその進路が使用する線路及び転てつ器を使用して進路を構築できない。進路を構築するには、その進路の走行許可が必要になる。この走行許可については後述するＳ４００からＳ４０４にて説明する。【００５０】
図４は、本実施例における列車走行許可を更新する車上制御部１１４の動作例を示すフローチャートである。【００５１】
車上制御部１１４は、本システムの起動時に本処理（Ｓ４００）を開始する。【００５２】
Ｓ４００にて、車上制御部１１４は、本処理を開始し、Ｓ４０１へ遷移する。【００５３】
Ｓ４０１にて、車上制御部１１４は、自列車１１０の在線範囲を認識する。その後、車上制御部１１４は、Ｓ４０２へ遷移する。【００５４】
在線範囲の認識は次のように行う。図示しないが、列車１１０は現在位置を取得する装置（たとえばＧＰＳ（Ｇｌｏｂａｌ  Ｐｏｓｉｔｉｏｎｉｎｇ  Ｓｙｓｔｅｍ）、又は、位置情報に関する情報を送信する地上子を線路上に設置し、列車が地上子を通過したときに位置情報に関する情報を受信して現在位置を認識し、地上子を通過した後は速度発電機等により測定した列車の速度を積分して走行距離を求め、通過した地上子からの相対位置を求める装置など）を備える。Ｓ３０２、Ｓ３０３で行うように、車上制御部１１４は、駅を出発するとき、次に到着する駅までの進路を構成するが、その構成した進路で走行する線路及び転てつ器を在線範囲とする。ただし、列車がその進路を走行し通過した線路及び転てつ器は在線範囲から除外する。つまり、列車の走行に伴い、この在線範囲に含まれる線路及び転てつ器は減ることになる。【００５５】
Ｓ４０２にて、車上制御部１１４は、車上通信部１１２により自列車１１０の在線範囲をダイヤ管理装置１００へ送信させる。その後、車上制御部１１４は、Ｓ４０３へ遷移する。【００５６】
Ｓ４０３にて、車上制御部１１４は、全列車在線範囲を受信したか確認する。車上制御部１１４は、全列車在線範囲を受信したとき（Ｓ４０３のＹｅｓ）、Ｓ４０４へ遷移する。車上制御部１１４は、全列車在線範囲を受信していないとき（Ｓ４０３のＮｏ）、Ｓ４０１へ遷移する。【００５７】
Ｓ４０４にて、車上制御部１１４は、自列車１１０の走行を許可する範囲を更新する。その後、車上制御部１１４は、Ｓ４０１へ遷移する。【００５８】
走行を許可する範囲の更新は以下のように行う。【００５９】
全列車在線範囲から、車上制御部１１４は、他の列車の在線範囲に含まれておらず、自列車１１０がこれから確保しようとしている進路に含まれる線路と転てつ器を抽出し、これを走行を許可する範囲とする。【００６０】
図１０の例では、先行列車１０００は、駅Ａに進入完了するまで転てつ器９０１を進路に含んでいるので、転てつ器９０１はその在線範囲に含まれる。よって、後発列車１００１の車上制御部１１４は、先行列車１０００が駅Ａに進入完了するまでＡ駅を出発するための走行を許可する範囲を更新できず、Ａ駅からＢ駅への進路の構成ができない。【００６１】
先行列車１０００が駅Ａに進入完了すると、その在線範囲から転てつ器９０１が外れるので、後発列車１００１の車上制御部１１４は、Ａ駅を出発するための走行を許可する範囲を更新することができ、その範囲としてＡ駅の下り線、転てつ器９０１、転てつ器９０２、Ｂ駅下り線を設定でき、在線範囲及び進路も設定できる。【００６２】
図５は、本実施例における車上通信部１１２の動作例を示すフローチャートである。【００６３】
車上通信部１１２は、本システムの起動時に本処理（Ｓ５００）を開始する。【００６４】
Ｓ５００にて、車上通信部１１２は、本処理を開始し、Ｓ５０１へ遷移する。【００６５】
Ｓ５０１にて、車上通信部１１２は、車上制御部１１４からダイヤの送信要求を受けたか確認する。車上通信部１１２は、車上制御部１１４からダイヤの送信要求を受けたとき（Ｓ５０１のＹｅｓ）、Ｓ５０２へ遷移する。車上通信部１１２は、車上制御部１１４からダイヤの送信要求を受けていないとき（Ｓ５０１のＮｏ）、Ｓ５０３へ遷移する。【００６６】
Ｓ５０２にて、車上通信部１１２は、車上制御部１１４から受信したダイヤをダイヤ管理装置１００へ送信する。その後、車上通信部１１２は、Ｓ５０３へ遷移する。【００６７】
Ｓ５０３にて、車上通信部１１２は、ダイヤ管理装置１００からダイヤを受信したか確認する。車上通信部１１２は、ダイヤ管理装置１００からダイヤを受信したとき（Ｓ５０３のＹｅｓ）、Ｓ５０４へ遷移する。車上通信部１１２は、ダイヤ管理装置１００からダイヤを受信していないとき（Ｓ５０３のＮｏ）、Ｓ５０５へ遷移する。【００６８】
Ｓ５０４にて、車上通信部１１２は、ダイヤ管理装置１００から受信したダイヤを車上ダイヤ記憶部１１３へ送信し、車上制御部１１４へ送信させる。その後、車上通信部１１２は、Ｓ５０５へ遷移する。【００６９】
Ｓ５０５にて、車上通信部１１２は、車上制御部１１４から自列車の在線範囲の送信要求を受けたか確認する。車上通信部１１２は、車上制御部１１４から自列車の在線範囲の送信要求を受けたとき（Ｓ５０５のＹｅｓ）、Ｓ５０６へ遷移する。車上通信部１１２は、車上制御部１１４から自列車の在線範囲の送信要求を受けていないとき（Ｓ５０５のＮｏ）、Ｓ５０７へ遷移する。【００７０】
Ｓ５０６にて、車上通信部１１２は、自列車の在線範囲をダイヤ管理装置１００へ送信する。その後、車上通信部１１２は、Ｓ５０７へ遷移する。【００７１】
Ｓ５０７にて、車上通信部１１２は、ダイヤ管理装置１００から全列車在線範囲を受信したか確認する。車上通信部１１２は、ダイヤ管理装置１００から全列車在線範囲を受信したとき（Ｓ５０７のＹｅｓ）、Ｓ５０８へ遷移する。車上通信部１１２は、ダイヤ管理装置１００から全列車在線範囲を受信していないとき（Ｓ５０７のＮｏ）、Ｓ５０１へ遷移する。【００７２】
Ｓ５０８にて、車上通信部１１２は、全列車在線範囲を車上ダイヤ記憶部１１３へ送信し、車上制御部１１４へ送信させる。その後、車上通信部１１２は、Ｓ５０１へ遷移する。【００７３】
次に、本実施例におけるダイヤ管理装置１００の地上通信部１０２の動作を中心に説明する。【００７４】
図６は、本実施例における地上通信部１０２の動作例を示すフローチャートである。【００７５】
地上通信部１０２は、本システムの起動時に本処理（Ｓ６００）を開始する。【００７６】
Ｓ６００にて、地上通信部１０２は、本処理を開始し、Ｓ６０１へ遷移する。【００７７】
Ｓ６０１にて、地上通信部１０２は、列車制御装置１１１から更新されたダイヤを受信したか確認する。地上通信部１０２は、列車制御装置１１１から更新されたダイヤを受信したとき（Ｓ６０１のＹｅｓ）、Ｓ６０２へ遷移する。地上通信部１０２は、列車制御装置１１１から更新されたダイヤを受信していないとき（Ｓ６０１のＮｏ）、Ｓ６０４へ遷移する。【００７８】
Ｓ６０２にて、地上通信部１０２は、受信した更新されたダイヤを制御対象列車ダイヤ記憶部１０１へ送信する。その後、地上通信部１０２は、Ｓ６０３へ遷移する。【００７９】
Ｓ６０３にて、地上通信部１０２は、受信した更新されたダイヤを制御対象となっている全ての列車１１０の列車制御装置１１１へ送信する。その後、地上通信部１０２は、Ｓ６０４へ遷移する。【００８０】
Ｓ６０４にて、地上通信部１０２は、列車制御装置１１１から在線範囲を受信したか確認する。地上通信部１０２は、列車制御装置１１１から在線範囲を受信したとき（Ｓ６０４のＹｅｓ）、Ｓ６０５へ遷移する。地上通信部１０２は、列車制御装置１１１から在線範囲を受信していないとき（Ｓ６０４のＮｏ）、Ｓ６０１へ遷移する。【００８１】
Ｓ６０５にて、地上通信部１０２は、在線範囲を制御対象列車ダイヤ記憶部１０１へ送信する。その後、地上通信部１０２は、Ｓ６０６へ遷移する。【００８２】
Ｓ６０６にて、地上通信部１０２は、制御対象列車ダイヤ記憶部１０１へ全列車在線範囲の送信を要求し、受信する。その後、地上通信部１０２は、Ｓ６０７へ遷移する。【００８３】
Ｓ６０７にて、地上通信部１０２は、全列車在線範囲を制御対象の全ての列車１１０の列車制御装置１１１へ送信する。その後、地上通信部１０２は、Ｓ６０１へ遷移する。【００８４】
本実施例により、地上側に列車運行管理装置を設けずに、列車運行管理システムを構築することができる。
【符号の説明】
【００８５】
１００  ダイヤ管理装置
１０１  制御対象列車ダイヤ記憶部
１０２  地上通信部
１１０  列車
１１１  列車制御装置
１１２  車上通信部
１１３  車上ダイヤ記憶部
１１４  車上制御部
１２０  線路
１２１  転てつ器
９００  転てつ器
９０１  転てつ器
９０２  転てつ器
９０３  転てつ器
１０００  先行列車
１００１  後発列車
【図１】
2019053930.tif 000003
【図２】
2019053930.tif 000004
【図３】
2019053930.tif 000005
【図４】
2019053930.tif 000006
【図５】
2019053930.tif 000007
【図６】
2019053930.tif 000008
【図７】
2019053930.tif 000009
【図８】
2019053930.tif 000010
【図９】
2019053930.tif 000011
【図１０】
2019053930.tif 000012
【国際調査報告】
2019053930.tif 000013
2019053930.tif 000014